(57)【要約】【課題】本発明の実施例は、表示装置及びその制御方法に関する。【解決手段】本発明による表示装置は、表示部と、表示部に駆動電圧を供給する駆動電圧供給部と、駆動電圧のリップル回数を検出するリップル検出回路と、リップル回数に基づいて駆動電圧を変更するよう駆動電圧供給部を制御する制御部と、を含む。【選択図】図１
2018112733.tif 000002
【特許請求の範囲】
【請求項１】
表示部と、
前記表示部に駆動電圧を供給する駆動電圧供給部と、
前記駆動電圧のリップル回数を検出するリップル検出回路と、
前記リップル回数に基づいて前記駆動電圧を変更するよう前記駆動電圧供給部を制御する制御部と、を含む表示装置。
【請求項２】
前記リップル検出回路は、前記駆動電圧のリップルサイズが基準レベル以上であれば、前記リップル回数をカウントすることを特徴とする請求項１に記載の表示装置。
【請求項３】
前記制御部は、一フレームの間の前記リップル回数が基準値以上であれば、前記駆動電圧を下げるよう前記駆動電圧供給部を制御することを特徴とする請求項２に記載の表示装置。
【請求項４】
前記リップル検出回路は、前記リップルサイズ及び前記リップル回数に関するリップルデータを前記制御部に提供することを特徴とする請求項２に記載の表示装置。
【請求項５】
前記制御部は、前記リップルサイズ及び前記リップル回数に応じて前記駆動電圧を差等的に変更することを特徴とする請求項２に記載の表示装置。
【請求項６】
前記制御部は、
前記リップルサイズがハイ基準レベル以上であれば、前記駆動電圧の電圧レベルを予め設定された補償電圧レベルに変更するよう前記駆動電圧供給部を制御し、
前記リップルサイズが前記ハイ基準レベルより低いロー基準レベル以下であれば、前記駆動電圧の電圧レベルを予め設定された正常電圧レベルに変更するよう前記駆動電圧供給部を制御し、
前記リップルサイズが前記ハイ基準レベル未満で、前記ロー基準レベルを超えると、前記駆動電圧の電圧レベルを保持するよう前記駆動電圧供給部を制御することを特徴とする請求項２に記載の表示装置。
【請求項７】
前記補償電圧レベルは、前記正常電圧レベルより低いことを特徴とする請求項６に記載の表示装置。
【請求項８】
前記リップル検出回路は、
一フレームを複数個に分けた値である一定時間単位で前記リップル回数をカウントすることを特徴とする請求項２に記載の表示装置。
【請求項９】
前記制御部は、
複数のフレームの間の各フレームに対応する前記リップル回数を平均して平均リップル回数を算出し、前記平均リップル回数が基準値以上であれば、前記駆動電圧を下げるよう前記駆動電圧供給部を制御することを特徴とする請求項２に記載の表示装置。
【請求項１０】
前記リップル検出回路は、
正の基準電圧と前記駆動電圧を比較する第１比較器と、
負の基準電圧と前記駆動電圧を比較する第２比較器と、
前記第１比較器の結果値をカウントする第１カウンタと、
前記第２比較器の結果値をカウントする第２カウンタと、を含むことを特徴とする請求項１に記載の表示装置。
【請求項１１】
前記リップル検出回路は、フィードバックラインを介して前記駆動電圧の提供を受けることを特徴とする請求項１に記載の表示装置。
【請求項１２】
前記表示部は、
ゲート線及びデータ線と接続される複数の画素を含む画素部と、
前記ゲート線を介してゲート信号を供給するゲート駆動部と、
前記データ線を介してデータ信号を供給するデータ駆動部と、を含むことを特徴とする請求項１に記載の表示装置。
【請求項１３】
前記駆動電圧は、前記画素部に提供される共通電圧及びデータ駆動部に提供されるデータ駆動電圧のうち少なくとも１つを含むことを特徴とする請求項１２に記載の表示装置。
【請求項１４】
表示部に駆動電圧を供給し、
前記駆動電圧のリップル回数を検出し、
前記リップル回数に基づいて前記駆動電圧を変更することを含む表示装置の制御方法。
【請求項１５】
前記リップル回数を検出することは、
前記駆動電圧のリップルサイズが基準レベル以上であれば、前記リップル回数をカウントすることを含むことを特徴とする請求項１４に記載の表示装置の制御方法。
【請求項１６】
前記駆動電圧を変更することは、
一フレームの間の前記リップル回数が基準値以上であれば、前記駆動電圧を下げることを含むことを特徴とする請求項１５に記載の表示装置の制御方法。
【請求項１７】
前記駆動電圧を変更することは、
前記リップルサイズがハイ基準レベル以上であれば、前記駆動電圧の電圧レベルを予め設定された補償電圧レベルに変更し、
前記リップルサイズが前記ハイ基準レベルより低いロー基準レベル以下であれば、前記駆動電圧の電圧レベルを予め設定された正常電圧レベルに変更し、
前記リップルサイズが前記ハイ基準レベル未満で、前記低基準レベルを超えると、前記駆動電圧の電圧レベルを保持することを含むことを特徴とする請求項１５に記載の表示装置の制御方法。
【請求項１８】
前記補償電圧レベルは、前記正常電圧レベルより低いことを特徴とする請求項１７に記載の表示装置の制御方法。
【請求項１９】
前記リップル回数を検出することは、
一フレームを複数個に分けた値である一定時間単位で前記リップル回数をカウントすることを含むことを特徴とする請求項１８に記載の表示装置の制御方法。
【請求項２０】
前記駆動電圧を変更することは、
複数のフレームの間の各フレームに対応する前記リップル回数を平均して平均リップル回数を算出し、前記平均リップル回数が基準値以上であれば、前記駆動電圧を下げることを含むことを特徴とする請求項１８に記載の表示装置の制御方法。
【発明の詳細な説明】
【技術分野】
【０００１】
本発明の実施例は、表示装置及びその制御方法に関する。
【背景技術】
【０００２】
液晶表示装置は、液晶の光透過率を利用して映像を表示する液晶表示部と、上記液晶表示部の下部に配置されて上記液晶表示部に光を提供するバックライトアセンブリと、を含む。
【０００３】
上記液晶表示部は、映像を表示するための画素部と、画素部を駆動するデータ駆動部及びゲート駆動部と、を含む。上記液晶表示部は、電源供給部から駆動電圧の提供を受ける。上記駆動電圧は、上記画素部に供給される共通電圧と、上記データ駆動部に供給されるデータ駆動電圧と、を含む。
【０００４】
上記駆動電圧は、上記液晶表示部に表示される映像及び上記液晶表示部の物理的特性に応じてリップル（ｒｉｐｐｌｅ）を含む。上記駆動電圧のリップルによって表示品質が低下し、消費電流が上昇する可能性がある。
【０００５】
上記駆動電圧のリップルを補償する方法として、予め特定パターンのデータをメモリに保存し、画像データからパターンを事前に認識してリップル補償動作を行うことができる。
【０００６】
しかし、上述のリップル補償方法は、予め保存されたパターンしか認識できず、メモリに保存できるパターンデータには限界があるという問題がある。
【先行技術文献】
【特許文献】
【０００７】
【特許文献１】韓国特許公開第１０−２００８−００６２９２６号公報
【発明の概要】
【発明が解決しようとする課題】
【０００８】
本発明の目的は、より効果的に、また、正確かつ迅速に駆動電圧のリップルを補償できる表示装置及びその制御方法を提供することである。
【課題を解決するための手段】
【０００９】
本発明の実施例による表示装置は、表示部と、表示部に駆動電圧を供給する駆動電圧供給部と、駆動電圧のリップル回数を検出するリップル検出回路と、リップル回数に基づいて駆動電圧を変更するよう駆動電圧供給部を制御する制御部と、を含む。
【００１０】
また、リップル検出回路は、駆動電圧のリップルサイズが基準レベル以上であれば、リップル回数をカウントしてもよい。
【００１１】
また、制御部は、一フレームの間のリップル回数が基準値以上であれば、駆動電圧を下げるよう駆動電圧供給部を制御してもよい。
【００１２】
また、リップル検出回路は、リップルサイズ及びリップル回数に関するリップルデータを制御部に提供してもよい。
【００１３】
また、制御部は、リップルサイズ及びリップル回数に応じて駆動電圧を差等的に変更してもよい。
【００１４】
また、制御部は、リップルサイズがハイ基準レベル以上であれば、駆動電圧の電圧レベルを予め設定された補償電圧レベルに変更するよう駆動電圧供給部を制御し、リップルサイズがハイ基準レベルより低いロー基準レベル以下であれば、駆動電圧の電圧レベルを予め設定された正常電圧レベルに変更するよう駆動電圧供給部を制御し、リップルサイズがハイ基準レベル未満で、ロー基準レベルを超えると、駆動電圧の電圧レベルを保持するよう駆動電圧供給部を制御してもよい。
【００１５】
また、補償電圧レベルは、正常電圧レベルより低くてもよい。
【００１６】
また、リップル検出回路は、一フレームを複数個に分けた値である一定時間単位でリップル回数をカウントしてもよい。
【００１７】
また、制御部は、複数のフレームの間の各フレームに対応するリップル回数を平均して平均リップル回数を算出し、平均リップル回数が基準値以上であれば、駆動電圧を下げるよう駆動電圧供給部を制御してもよい。
【００１８】
また、リップル検出回路は、正の基準電圧と駆動電圧を比較する第１比較器と、負の基準電圧と駆動電圧を比較する第２比較器と、第１比較器の結果値をカウントする第１カウンタと、第２比較器の結果値をカウントする第２カウンタと、を含んでもよい。
【００１９】
また、リップル検出回路は、フィードバックラインを介して駆動電圧の提供を受けてもよい。
【００２０】
また、表示部は、ゲート線及びデータ線と接続される複数の画素を含む画素部と、ゲート線を介してゲート信号を供給するゲート駆動部と、データ線を介してデータ信号を供給するデータ駆動部と、を含んでもよい。
【００２１】
また、駆動電圧は、画素部に提供される共通電圧及びデータ駆動部に提供されるデータ駆動電圧のうち少なくとも１つを含んでもよい。
【００２２】
本発明の実施例による表示装置の制御方法は、表示部に駆動電圧を供給し、駆動電圧のリップル回数を検出し、リップル回数に基づいて駆動電圧を変更することを含む。
【００２３】
また、リップル回数を検出することは、駆動電圧のリップルサイズが基準レベル以上であれば、リップル回数をカウントすることを含んでもよい。
【００２４】
また、駆動電圧を変更することは、一フレームの間のリップル回数が基準値以上であれば、駆動電圧を下げることを含んでもよい。
【００２５】
また、駆動電圧を変更することは、リップルサイズがハイ基準レベル以上であれば、駆動電圧の電圧レベルを予め設定された補償電圧レベルに変更し、リップルサイズがハイ基準レベルより低いロー基準レベル以下であれば、駆動電圧の電圧レベルを予め設定された正常電圧レベルに変更し、リップルサイズがハイ基準レベル未満で、低基準レベルを超えると、駆動電圧の電圧レベルを保持することを含んでもよい。
【００２６】
また、補償電圧レベルは、正常電圧レベルより低くてもよい。
【００２７】
また、リップル回数を検出することは、一フレームを複数個に分けた値である一定時間単位でリップル回数をカウントすることを含んでもよい。
【００２８】
また、駆動電圧を変更することは、複数のフレームの間の各フレームに対応するリップル回数を平均して平均リップル回数を算出し、平均リップル回数が基準値以上であれば、駆動電圧を下げることを含んでもよい。
【発明の効果】
【００２９】
このような本発明によれば、駆動電圧のリップル回数に基づいて駆動電圧を変更する方式でリップルを補償することで、より効果的に、また、正確かつ迅速に駆動電圧のリップルを補償することができる。
【図面の簡単な説明】
【００３０】
【図１】本発明の第１実施例による表示装置を概略的に示す構成図である。
【図２】図１に示されたリップル検出回路の詳細構成図である。
【図３】駆動電圧のリップル回数の検出を説明するための波形図である。
【図４】本発明の一実施例による表示装置の制御方法を示すフローチャートである。
【図５】本発明の第２実施例による表示装置のリップル補償動作を説明するための波形図である。
【図６】本発明の第３実施例による表示装置のリップル補償動作を説明するための波形図である。
【図７】本発明の第４実施例による表示装置のリップル補償動作を説明するための波形図である。
【発明を実施するための形態】
【００３１】
本発明は多様に変更し、また、様々な形態を有することができるため、特定の実施例を図面に例示し以下で詳細に説明する。しかし、これは本発明を特定の開示形態に限定するものではなく、本発明の思想及び技術範囲に含まれるすべての変更、均等物ないし代替物を含むものと理解すべきである。
【００３２】
各図面を説明するに当たり、類似する構成要素には類似する参照符号を付した。添付の図面における構造物の寸法は、本発明を明確にするために拡大して示した。第１、第２などの用語は、様々な構成要素を説明するために用いられるが、上記構成要素は上記用語に限定されてはならない。上記用語は一構成要素を他の構成要素と区別するためのみに用いられる。例えば、本発明の権利範囲から外れない範囲内で、第１構成要素は第２構成要素と命名されてもよく、これと同様に第２構成要素も第１構成要素と命名されてもよい。単数の表現は文脈上明らかに相違する意味を持たない限り、複数の表現を含む。
【００３３】
本出願において、「含む」または「有する」などの用語は、明細書上に記載された特徴、数字、段階、動作、構成要素、部品、またはこれらの組み合わせが存在することを示すものであり、１つまたはそれ以上の他の特徴や数字、段階、動作、構成要素、部品またはこれらの組み合わせの存在または付加可能性を事前に排除するものではないと理解すべきである。また、層、膜、領域、板などの部分が他の部分の「上に」あるというときは、他の部分の「真上に」ある場合のみならず、その中間に他の部分が介在されている場合も含む。また、本明細書において、ある層、膜、領域、板などの部分が他の部分上（ｏｎ）に形成されたというときは、上記形成された方向は上部方向のみに限らず、側面や下部方向に形成されたことを含む。逆に、層、膜、領域、板などの部分が他の部分の「下に」あるというときは、他の部分の「真下に」ある場合のみならず、その中間に他の部分が介在されている場合も含む。
【００３４】
以下では、添付の図面を参照して本発明の好ましい実施例をより詳細に説明する。
【００３５】
図１は、本発明の第１実施例による表示装置を概略的に示す構成図である。
【００３６】
図１を参照すると、本発明の第１実施例による表示装置は、表示部１００と、駆動電圧供給部２００と、リップル検出回路３００と、制御部４００と、を含む。
【００３７】
表示部１００は、タイミング制御部１１０と、データ駆動部１２０と、ゲート駆動部１３０と、画素部１４０と、を含んでもよい。
【００３８】
タイミング制御部１１０は、映像データ及びその表示を制御するための同期信号とクロック信号などの入力を受ける。タイミング制御部１１０は、入力される映像データを画素部１４０の映像表示に適するように補正し、補正したデータ信号Ｄａｔａをデータ駆動部１２０に供給する。また、タイミング制御部１１０は、データ駆動部１２０の動作タイミングを制御するためのデータ制御信号ＤＣＳと、ゲート駆動部１３０の動作タイミングを制御するためのゲート制御信号ＧＣＳを出力する。
【００３９】
データ駆動部１２０はデータ線Ｄ１〜Ｄｍと接続され、データ線Ｄ１〜Ｄｍを介して画素部１４０にデータ信号を供給する。データ駆動部１２０は、タイミング制御部１１０から供給されるデジタル形式のデータ信号Ｄａｔａをアナログ形式のデータ信号（または電圧）に変換する。具体的には、データ駆動部１２０は、タイミング制御部１１０のデータ制御信号ＤＣＳに応答してデータ信号Ｄａｔａに対応する階調電圧を出力する。
【００４０】
一実施例において、データ駆動部１２０はガンマ回路（図示せず）を含んでもよく、ガンマ回路は、駆動電圧供給部２００から供給されたデータ駆動電圧ＡＶＤＤに基づいてガンマ基準電圧を生成してもよい。そして、データ駆動部１２０はガンマ基準電圧を分圧して階調電圧を生成する。
【００４１】
ゲート駆動部１３０はゲート線Ｓ１〜Ｓｎと接続され、ゲート線Ｓ１〜Ｓｎを介して画素部１４０にゲート信号を供給する。具体的には、ゲート駆動部１３０は、タイミング制御部１１０のゲート制御信号ＧＣＳに応答してゲート電圧のレベルをシフトさせながらゲート信号を出力する。一実施例において、ゲート駆動部１３０は複数のステージ回路からなってもよく、ゲート線Ｓ１〜Ｓｎにゲート信号を順次供給してもよい。
【００４２】
画素部１４０は、データ駆動部１２０から供給されたデータ信号とゲート駆動部１３０から供給されたゲート信号に応じて映像を表示する。画素部１４０はゲート線Ｓ１〜Ｓｎ及びデータ線Ｄ１〜Ｄｍに接続され、マトリックス状に配列された複数の画素Ｐｘを含む。
【００４３】
具体的には、画素Ｐｘは、ゲート線Ｓ１〜Ｓｎの何れか１つに供給されるゲート信号に対応して水平ライン単位で選択される。このとき、ゲート信号によって選択された画素Ｐｘのそれぞれは、自身と接続されたデータ線（Ｄ１〜Ｄｍの何れか１つ）からデータ信号の供給を受ける。データ信号の供給を受けた画素Ｐｘのそれぞれは、データ信号に対応する所定の輝度で発光する。
【００４４】
画素部１４０は液晶表示パネルであってもよいが、これに限定されず、有機電界発光表示パネルなどの様々な形態で具現されてもよい。
【００４５】
一実施例において、画素部１４０は、駆動電圧供給部２００から供給された共通電圧Ｖｃｏｍを画素Ｐｘに提供してもよい。
【００４６】
駆動電圧供給部２００は、表示部１００に駆動電圧ＶＯＵＴを供給する。駆動電圧ＶＯＵＴは、画素部１４０に提供される共通電圧Ｖｃｏｍ及びデータ駆動部１２０に提供されるデータ駆動電圧ＡＶＤＤのうち少なくとも１つを含んでもよい。また、駆動電圧ＶＯＵＴは、ゲート駆動部１３０に提供されるゲートオン電圧とゲートオフ電圧をさらに含んでもよい。
【００４７】
駆動電圧供給部２００は、制御部４００の駆動電圧制御信号ＶＣＳに応答して駆動電圧ＶＯＵＴの電圧レベルを増加または減少させて出力する。駆動電圧供給部２００は、ＤＣ−ＤＣコンバータ（図示せず）及び増幅器（図示せず）のうち少なくとも１つを含んで構成されてもよいが、その他に、駆動電圧ＶＯＵＴを生成し、駆動電圧ＶＯＵＴの電圧レベルを変化させることができる他の回路で構成されてもよい。
【００４８】
リップル検出回路３００は駆動電圧ＶＯＵＴのリップル回数を検出する。このため、リップル検出回路３００は駆動電圧ＶＯＵＴのフィードバック（ｆｅｅｄｂａｃｋ）を受ける。リップル検出回路３００は、駆動電圧供給部２００から出力される電圧ラインのそれぞれに接続されてもよい。
【００４９】
一実施例において、リップル検出回路３００は、駆動電圧ＶＯＵＴのリップルサイズが基準レベル以上であれば、リップル回数をカウントする。リップルサイズの基準レベルは、表示部１００の負荷特性に応じて予め設定された値である。例えば、基準レベルは０．４Ｖ〜１．４Ｖであってもよい。
【００５０】
リップル検出回路３００は、リップルサイズとリップル回数に関するリップルデータＲｄａｔａを制御部４００に提供する。リップル検出回路３００は、駆動電圧供給部２００及び制御部４００のうち少なくとも１つと一体型に構成されてもよい。リップル検出回路３００に対する詳細な説明は、図２を参照して後述する。
【００５１】
制御部４００は、駆動電圧ＶＯＵＴのリップルを補償するための制御動作を行う構成であって、リップル回数に基づいて駆動電圧ＶＯＵＴを変更するように駆動電圧供給部２００を制御する。制御部４００は、駆動電圧供給部２００を制御するための駆動電圧制御信号ＶＣＳを生成及び出力する。
【００５２】
一実施例において、制御部４００は、一フレーム（ｆｒａｍｅ）の間のリップル回数が基準値以上であれば、駆動電圧ＶＯＵＴを下げるように駆動電圧供給部２００を制御する。例えば、制御部４００は、一フレームの間のリップル回数が３回以上であれば、駆動電圧ＶＯＵＴを８０％の水準に下げるよう駆動電圧供給部２００を制御してもよい。駆動電圧ＶＯＵＴの電圧レベルが低くなると、リップルサイズも減少する。
【００５３】
一実施例において、制御部４００は、リップルサイズ及びリップル回数に応じて駆動電圧ＶＯＵＴを差等的に変更してもよい。制御部４００は、リップル検出回路３００から提供されたリップルデータＲｄａｔａからリップルサイズ及びリップル回数を判断する。例えば、制御部４００は、リップルサイズが０．５Ｖで、リップル回数が２回である場合、駆動電圧ＶＯＵＴを９０％の水準に下げるよう駆動電圧供給部２００を制御してもよい。また、制御部４００は、リップルサイズが０．７Ｖで、リップル回数が３回である場合、駆動電圧ＶＯＵＴを８０％の水準に下げるよう駆動電圧供給部２００を制御してもよい。
【００５４】
制御部４００は、駆動電圧供給部２００、リップル検出回路３００、及びタイミング制御部１１０のうち少なくとも１つと一体型に構成されてもよい。また、制御部４００は、タイミング制御部１１０にリップルデータＲｄａｔａ及び駆動電圧ＶＯＵＴの状態に関する情報を提供してもよい。
【００５５】
このような本発明によれば、駆動電圧のリップル回数に基づいて駆動電圧を変更する方式でリップルを補償することで、より効果的に、また、正確かつ迅速に駆動電圧のリップルを補償することができる。
【００５６】
図２は図１に示されたリップル検出回路の詳細構成図であり、図３は駆動電圧のリップル回数検出を説明するための波形図である。
【００５７】
図２及び図３を参照すると、本発明の第１実施例によるリップル検出回路３００は、正の基準電圧ＰＶｒｅｆと駆動電圧ＶＯＵＴを比較する第１比較器３３０と、負の基準電圧ＮＶｒｅｆと駆動電圧ＶＯＵＴを比較する第２比較器３４０と、第１比較器３３０の結果値をカウントする第１カウンタ３５０と、第２比較器３４０の結果値をカウントする第２カウンタ３６０と、を含んでもよい。
【００５８】
リップル検出回路３００は、フィードバックラインＦＢＬを介して駆動電圧ＶＯＵＴの提供を受ける。フィードバックラインＦＢＬの一端は、駆動電圧供給部２００と表示部１００との間の駆動電圧ＶＯＵＴの供給ラインに接続されてもよい。フィードバックラインＦＢＬの他端は、第１比較器３３０及び第２比較器３４０に接続されてもよい。
【００５９】
また、上記によるリップル検出回路３００は、正の基準電圧ＰＶｒｅｆを提供する正の基準電圧供給部３１０と、負の基準電圧ＮＶｒｅｆを提供する負の基準電圧供給部３２０をさらに含んでもよい。
【００６０】
第１比較器３３０は、正の基準電圧供給部３１０と接続されて正の基準電圧ＰＶｒｅｆが入力される反転入力端子−と、フィードバックラインＦＢＬと接続されて駆動電圧ＶＯＵＴが入力される非反転入力端子＋と、駆動電圧ＶＯＵＴが正の基準電圧ＰＶｒｅｆより高いと正のリップル発生信号ＰＯＳ＿Ｃｏｕｎｔを出力する出力端子と、を含んでもよい。
【００６１】
第２比較器３４０は、フィードバックラインＦＢＬと接続されて駆動電圧ＶＯＵＴが入力される反転入力端子−と、負の基準電圧供給部３２０と接続されて負の基準電圧ＮＶｒｅｆが入力される非反転入力端子＋と、駆動電圧ＶＯＵＴが負の基準電圧ＮＶｒｅｆより低いと負のリップル発生信号ＮＥＧ＿Ｃｏｕｎｔを出力する出力端子と、を含んでもよい。
【００６２】
第１カウンタ３５０は、正のリップル発生信号ＰＯＳ＿Ｃｏｕｎｔに基づいて第１比較器３３０の結果値を所定の周期または所定の単位でカウントして、正のブリップル回数に関する情報を制御部４００に提供する。第２カウンタ３６０は、負のリップル発生信号ＮＥＧ＿Ｃｏｕｎｔに基づいて第２比較器３４０の結果値を所定の周期または所定の単位でカウントして、負のリップル回数に関する情報を制御部４００に提供する。
【００６３】
例えば、駆動電圧ＶＯＵＴが反転駆動する共通電圧Ｖｃｏｍで、図３に示されたような波形を有する場合、第１比較器３３０は、駆動電圧ＶＯＵＴが正の基準電圧ＰＶｒｅｆより高いタイミングでハイレベルの正のリップル発生信号ＰＯＳ＿Ｃｏｕｎｔを出力する。第１カウンタ３５０は、一フレーム内に４回の正のリップルが発生したことを知らせるリップルデータＲｄａｔａを制御部４００に提供する。
【００６４】
また、第２比較器３４０は、駆動電圧ＶＯＵＴが負の基準電圧ＮＶｒｅｆより低いタイミングでハイレベルの負のリップル発生信号ＮＥＧ＿Ｃｏｕｎｔを出力する。第２カウンタ３６０は、一フレーム内に３回の負のリップルが発生したことを知らせるリップルデータＲｄａｔａを制御部４００に提供する。
【００６５】
制御部４００は、正のリップル発生回数と負のリップル発生回数を総合し、一フレーム内に計７回のリップルが発生したことを判断する。もし、リップル補償動作のためのリップル回数の基準値が５回に設定されている場合、制御部４００は駆動電圧ＶＯＵＴを下げるための駆動電圧制御信号ＶＣＳを出力して駆動電圧供給部２００を制御する。
【００６６】
ただし、リップル検出回路３００は上述した構造に限定されるものではなく、駆動電圧ＶＯＵＴのリップル発生を検出し、リップル回数をカウントすることができる多様な構造に変形されてもよい。
【００６７】
図４は、本発明の一実施例による表示装置の制御方法を示すフローチャートである。
【００６８】
図４を参照すると、本発明の一実施例による表示装置の制御方法は、まず、表示部１００に供給される駆動電圧ＶＯＵＴをフィードバックする（Ｓ１０）。駆動電圧供給部２００は、表示部１００に駆動電圧ＶＯＵＴを供給する。駆動電圧ＶＯＵＴは、画素部１４０に提供される共通電圧Ｖｃｏｍ及びデータ駆動部１２０に提供されるデータ駆動電圧ＡＶＤＤのうち少なくとも１つを含んでもよい。リップル検出回路３００は、駆動電圧ＶＯＵＴのフィードバック（ｆｅｅｄｂａｃｋ）を受ける。
【００６９】
次いで、駆動電圧ＶＯＵＴのリップル回数を検出する（Ｓ２０）。リップル検出回路３００は駆動電圧ＶＯＵＴのリップル回数を検出する。一実施例において、リップル検出回路３００は、駆動電圧ＶＯＵＴのリップルサイズが基準レベル以上であれば、リップル回数をカウントしてもよい。
【００７０】
具体的には、駆動電圧ＶＯＵＴのリップルサイズが基準レベル以上であるか否かを判断する（Ｓ２１）。リップルサイズの基準レベルは、表示部１００の負荷特性に応じて予め設定された値であってもよい。
【００７１】
段階Ｓ２１において、リップルサイズが基準レベル以上と判断された場合、駆動電圧ＶＯＵＴのリップル回数をカウントする（Ｓ２３）。段階Ｓ２１において、リップルサイズが基準レベル未満と判断された場合は、駆動電圧ＶＯＵＴをフィードバックしてモニタリングする動作を繰り返す。
【００７２】
そして、リップル回数が基準値以上であるか否かを判断する（Ｓ２５）。リップル検出回路３００は、リップルサイズとリップル回数に関するリップルデータＲｄａｔａを制御部４００に提供する。段階Ｓ２５において、リップル回数が基準値未満と判断された場合、駆動電圧ＶＯＵＴをフィードバックしてモニタリングする動作を繰り返す。
【００７３】
段階Ｓ２５において、リップル回数が基準値以上と判断された場合、リップル回数に基づいて駆動電圧を変更する（Ｓ３０）。制御部４００は、駆動電圧供給部２００を制御するための駆動電圧制御信号ＶＣＳを生成及び出力する。駆動電圧供給部２００は、制御部４００の駆動電圧制御信号ＶＣＳに応じて駆動電圧ＶＯＵＴの電圧レベルを増加または減少させて出力することができる。
【００７４】
図５は、本発明の第２実施例による表示装置のリップル補償動作を説明するための波形図である。
【００７５】
以下では、上述した実施例と実質的に同じ構成に対して重なる説明は省略する。
【００７６】
図５を参照すると、本発明の第２実施例による表示装置は、２つの基準レベルを利用して駆動電圧ＶＯＵＴのリップルサイズを判断する。そして、リップルサイズに応じて異なるリップル補償動作を行う。このため、リップル検出回路３００は、リップルサイズとリップル回数を検出して制御部４００に提供する。本実施例のリップル補償動作は、駆動電圧ＶＯＵＴのうちデータ駆動電圧ＡＶＤＤの電圧レベルを可変することとする。
【００７７】
具体的には、駆動電圧ＶＯＵＴが一般的な状態において正常電圧レベルＶ１で出力されると仮定し、制御部４００は、リップルサイズがハイ基準レベルＨｉｇｈ＿Ｖｒｅｆ以上であれば、データ駆動電圧ＡＶＤＤの電圧レベルを予め設定された補償電圧レベルＶ２に変更するよう駆動電圧供給部２００を制御する。ここで、補償電圧レベルＶ２はリップル補償のための電圧レベルであって、正常電圧レベルＶ１より低く設定される。
【００７８】
例えば、制御部４００は、第１期間ｔ１の間、リップルサイズがハイ基準レベルＨｉｇｈ＿Ｖｒｅｆ以上のリップルが１回以上発生したと判断された場合、データ駆動電圧ＡＶＤＤを正常電圧レベルＶ１の８０％水準である補償電圧レベルＶ２に下げるよう駆動電圧供給部２００を制御する。データ駆動電圧ＡＶＤＤの電圧レベルが低くなれば、リップルサイズも減少する。
【００７９】
また、制御部４００は、リップルサイズがハイ基準レベルＨｉｇｈ＿Ｖｒｅｆ未満で、ロー基準レベルＬｏｗ＿Ｖｒｅｆを超える場合は、データ駆動電圧ＡＶＤＤの電圧レベルを保持するよう駆動電圧供給部２００を制御する。ここで、ロー基準レベルＬｏｗ＿Ｖｒｅｆは、ハイ基準レベルＨｉｇｈ＿Ｖｒｅｆより低い値を有する。
【００８０】
例えば、第１期間ｔ１で駆動電圧ＶＯＵＴの電圧レベルが補償電圧レベルＶ２に変更されたと仮定し、制御部４００は、第２期間ｔ２の間に発生した全てのリップルサイズがハイ基準レベルＨｉｇｈ＿Ｖｒｅｆ未満で、ロー基準レベルＬｏｗ＿Ｖｒｅｆを超えると判断される場合、駆動電圧ＶＯＵＴの電圧レベルを変更せずに補償電圧レベルＶ２を保持する。
【００８１】
また、制御部４００は、リップルサイズがロー基準レベルＬｏｗ＿Ｖｒｅｆ以下であれば、駆動電圧ＶＯＵＴの電圧レベルを予め設定された正常電圧レベルＶ１に変更するよう駆動電圧供給部２００を制御する。即ち、リップルサイズが一定水準以下であれば、駆動電圧ＶＯＵＴの電圧レベルを正常化させるのである。
【００８２】
例えば、第２期間ｔ２で駆動電圧ＶＯＵＴの電圧レベルが補償電圧レベルＶ２に保持されたと仮定し、制御部４００は、リップルサイズがロー基準レベルＬｏｗ＿Ｖｒｅｆ以下のリップルが１回以上発生したと判断される場合、駆動電圧ＶＯＵＴを補償電圧レベルＶ２から正常電圧レベルＶ１に上げるよう駆動電圧供給部２００を制御する。
【００８３】
これにより、本実施例の表示装置は、駆動電圧ＶＯＵＴのリップル発生による過度な駆動電圧の変更を防止することができる。
【００８４】
図６は、本発明の第３実施例による表示装置のリップル補償動作を説明するための波形図である。
【００８５】
図６を参照すると、本発明の第３実施例による表示装置は、一フレームを複数個に分けた値である一定時間単位でリップル回数をカウントする。即ち、リップルが発生したとき、すぐにリップル補償動作を行わず、一定時間単位で周期的にリップル発生をチェックしてリップル補償動作を行う。本実施例のリップル補償動作は、駆動電圧ＶＯＵＴのうちデータ駆動電圧ＡＶＤＤの電圧レベルを可変することとする。
【００８６】
例えば、一フレームが第１単位期間ｍｔ１、第２単位期間ｍｔ２、第３単位期間ｍｔ３及び第４単位期間ｍｔ４からなると仮定する。そして、第１単位期間ｍｔ１内に基準レベルＶｒｅｆ以上のリップルが３回発生し、第２単位期間ｍｔ２内にリップルが２回発生し、第３単位期間ｍｔ３及び第４単位期間ｍｔ４にそれぞれリップルが１回ずつ発生すると仮定する。また、制御部４００は、二つの単位期間で連続してリップルが発生すると、リップル補償動作を行うように設定されると仮定する。
【００８７】
リップル検出回路３００は、第１単位期間ｍｔ１内に基準レベルＶｒｅｆ以上のリップルが３回発生したが、最初の１回のリップルのみをカウントして制御部４００に通知する。また、リップル検出回路３００は、第２単位期間ｍｔ２内に基準レベルＶｒｅｆ以上のリップルが２回発生したが、最初の１回のリップルのみをカウントして制御部４００に通知する。
【００８８】
制御部４００は、第１単位期間ｍｔ１と第２単位期間ｍｔ２で連続的にリップルが発生したことを認知し、第３単位期間ｍｔ３からはデータ駆動電圧ＡＶＤＤの電圧レベルを正常電圧レベルＶ１から補償電圧レベルＶ２に下げるよう駆動電圧供給部２００を制御する。
【００８９】
これにより、本実施例の表示装置は、駆動電圧ＶＯＵＴのリップル発生による過度な駆動電圧の変更を防止することができる。
【００９０】
図７は、本発明の第４実施例による表示装置のリップル補償動作を説明するための波形図である。
【００９１】
図７を参照すると、本発明の第４実施例による表示装置は、リップル回数をフレーム単位でチェックしてから、複数のフレームの間の各フレームに対応するリップル回数を平均して平均リップル回数を算出し、平均リップル回数が基準値以上であれば、リップル補償動作を行う。平均リップル回数を計算するためのフレームの個数と平均リップル回数の基準値は、表示部１００の特性に応じて予め設定されてもよい。本実施例のリップル補償動作は、駆動電圧ＶＯＵＴのうちデータ駆動電圧ＡＶＤＤの電圧レベルを可変することとする。
【００９２】
例えば、制御部４００は、複数のフレーム単位であるフレームグループＦＧの間のリップル回数を平均して平均リップル回数が４回以上であれば、リップル補償動作を行うように設定されると仮定する。フレームグループＦＧは、第１フレームＦ１、第２フレームＦ２、第３フレームＦ３及び第４フレームＦ４を含むと仮定する。第１フレームＦ１の間に７回のリップルが発生し、第２フレームＦ２の間に３回のリップルが発生し、第３フレームＦ３の間に４回のリップルが発生し、第４フレームＦ４の間に６回のリップルが発生したと仮定する。
【００９３】
制御部４００は、フレームグループＦＧの間に計２０回のリップルが発生したことを認識し、平均リップル回数を５回と算出する。そして、制御部４００は、平均リップル回数が基準値である４回以上であるため、データ駆動電圧ＡＶＤＤの電圧レベルを正常電圧レベルＶ１から補償電圧レベルＶ２に下げるよう駆動電圧供給部２００を制御する。
【００９４】
これにより、本実施例の表示装置は、駆動電圧ＶＯＵＴのリップル発生による過度な駆動電圧の変更を防止することができる。
【００９５】
本発明の技術思想を好ましい実施例に基づいて具体的に記述したが、上記した実施例は説明のためのものであり、制限するためのものではないことに留意すべきである。また、本発明の技術分野の通常の知識を有する者であれば、本発明の技術思想の範囲内で様々な変形が可能であることが理解できるであろう。
【図１】
2018112733.tif 000003
【図２】
2018112733.tif 000004
【図３】
2018112733.tif 000005
【図４】
2018112733.tif 000006
【図５】
2018112733.tif 000007
【図６】
2018112733.tif 000008
【図７】
2018112733.tif 000009